(57)【要約】【課題】デジタル放送の受信環境が悪い場合に、受信可能となる基準値からどの程度外れた状況にあるのか、さらには何が要因で受信ができないのかを知ることを可能にするデジタル放送受信装置を提供する。【解決手段】メニュー画面においてＴＶを選択しＴＶ選局を行うと、通信・放送表示画面が表示される。通信・放送表示画面（放送表示部）３０３には受信した地上デジタル放送のコンテンツ自体が表示されており、通信表示部３０４にはコンテンツに付随して送信されるコンテンツ関連情報及びデータ放送などが表示される。「感度」を選択すると、放送・受信感度表示画面、放送の受信感度に関する棒グラフ状に表示がなされる。放送の受信感度が所定の値より低いため放送が正常に受信できない場合には、受信不能時の表示画面のいずれかが表示される。受信不能時の放送表示部３０３には、放送コンテンツの代わりに位置情報、受信感度パラメータ、受信状況に関するメッセージなどが表示される。【選択図】図３
2008104209.tif 000002
【特許請求の範囲】
【請求項１】
デジタル放送の受信感度パラメータを検出する受信感度パラメータ検出手段と、
前記受信感度パラメータ検出手段により検出された前記受信感度パラメータに基づく受信状況を表示する受信状況表示手段と、を有し、
前記受信状況表示手段は、デジタル放送を受信できない場合に、メッセージを表示することを特徴とするデジタル放送受信装置。
【請求項２】
前記受信状況表示手段は、時間軸を用いて前記受信状況のパラメータを変化するように表示することを特徴とする請求項１に記載のデジタル放送受信装置。
【請求項３】
さらに、位置情報を取得する位置情報取得手段を有し、前記受信状況表示手段は、位置情報と対応付けて前記受信状況のパラメータを表示することを特徴とする請求項１又は２に記載のデジタル放送受信装置。
【請求項４】
前記受信状況表示手段は、受信映像表示と前記受信状況のパラメータ表示とを切り替えて表示することを特徴とする請求項１から３までのいずれか１項に記載のデジタル放送受信装置。
【請求項５】
前記受信状況表示手段は、デジタル放送が受信できない要因を表示することを特徴とする請求項１から４までのいずれか１項に記載のデジタル放送受信装置。
【発明の詳細な説明】
【技術分野】
【０００１】
本発明は、デジタル放送受信装置に関し、一般的な据え置き型の受信装置及び車載端末、携帯電話又はＰＤＡ（Ｐｅｒｓｏｎａｌ Ｄｉｇｉｔａｌ Ａｓｓｉｓｔａｎｔｓ）等の携帯端末に内蔵される移動型のデジタル放送受信装置に関する。
【背景技術】
【０００２】
現在、全国で視聴されているアナログ地上放送に代わる新しい放送として、地上デジタル放送に関する準備が進められている。地上デジタル放送は、２００３年に関東、近畿及び東海の３大都市圏において放送が開始され、２００６年には放送エリアが全国に拡大される計画である。これに伴い、現行のアナログ放送は２０１１年には廃止される予定である。
【０００３】
上記地上デジタル放送の技術規格ＩＳＤＢ（Ｉｎｔｅｇｒａｔｅｄ Ｓｅｒｖｉｃｅｓ Ｄｉｇｉｔａｌ Ｂｒｏａｄｃａｓｔｉｎｇ）−Ｔでは、多数の搬送波（キャリア）を使うＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、直交周波数分割多重）方式が、変調方式として採用されている。ＯＦＤＭ方式は、建物における反射などに起因して複数の伝播経路（マルチパス）が形成されることによるゴースト妨害が抑制できる。また、ＩＳＤＢ−Ｔでは、キャリア間隔を規定する伝送モードやキャリア毎の変調方式、有効シンボル長毎に設ける時間軸方向のガードインターバルがそれぞれ複数規定されており、極めて多数の信号形式が規格の上では許容されている。実際には多数の信号形式の中から、固定受信や移動受信などのサービス形態に応じて、最適な信号形式が選択される。
【０００４】
また、ＩＳＤＢ−Ｔでは、１つのチャンネル（帯域幅約５．６ＭＨｚ）を１３セグメント（１セグメント＝約４３０ｋＨｚ）に分割し、セグメント単位で変調方式を変えることができる。これにより、１つのチャンネルで、音声放送及びハイビジョン放送、または、標準固定放送及び移動体放送というように、放送局は任意に信号構成を決めることができる。
【０００５】
さらに、ＩＳＤＢ−Ｔは、時間軸方向のインターリーブを取り入れており、利用する電波も移動体への伝送に適していることから、車載テレビなどの移動受信機やＰＤＡ及び携帯電話などの携帯端末においても安定した受信が可能となることが大きな特徴の１つとして挙げられる。今後、このような移動受信を想定したサービスも大いに期待されている。
【０００６】
車載テレビ等の移動受信装置においては、ある程度表示容量の大きなディスプレイを搭載可能であり、十分な電力供給源も備わっていることから、小型軽量化に対する要求や低消費電力化に対する要求もそれほど大きくないため、広帯域の受信に対応可能である。図９は、地上デジタル放送サービスに用いられるデータセグメントの構成例を示す図である。図９に示すように、データセグメント８０１には、１セグメントの音声受信帯域８０３と、６セグメントの移動体受信帯域８０４と、６セグメントのＳＤＴＶ（Ｓｔａｎｄａｒｄ Ｄｅｆｉｎｉｔｉｏｎ ＴＶ、標準テレビ）受信帯域８０５とを含む合計１３セグメントが割り当てられている。上記のような車載テレビにおいては、上記データセグメントを利用した放送サービスより、十分な情報量を得ることができる。尚、データセグメント８０１は、周波数軸の伝送スペクトル（ＯＦＤＭセグメント）８０２に変換されるが、この際、音声受信８０３に対応する１セグメント受信の部分８０６（Ａ階層）は、１３セグメントの中央のセグメントに配置される。
【０００７】
図１０は、地上デジタル放送サービスの他のデータセグメントの構成例を示す図である。図１０に示すように、データセグメント９０１には、１セグメントの携帯受信帯域９０３及び１２セグメントのハイビジョンＴＶ受信帯域９０４とを含む１３セグメントが割り当てられている。図８に示す形態と同様に、データセグメント９０１は、周波数軸の伝送スペクトル（ＯＦＤＭセグメント）９０２に変換されるが、この際、携帯受信帯域９０３に対応する１セグメント受信帯域の部分９０５（Ａ階層）は、１３セグメントの中央のセグメントに配置されるようになっている。
【０００８】
なお、図１０に示す構成では、データセグメント９０１において、携帯受信帯域９０３以外の１２セグメント全てをハイビジョンＴＶ受信９０４に割り当てているが、この１２セグメントをＳＤＴＶ受信２チャンネル分に分割して割り当てるなど、様々な形態の放送サービスが考えられている。
【０００９】
上記のように、地上デジタル放送は、移動受信や携帯受信に適した方式を採用しており、一般的に、電波の伝送経路における様々な電波障害の影響を受け、ノイズ、画面の欠落、同期異常が発生し易いアナログテレビ放送に比べると移動等による環境の変化に影響されずに安定した受信が可能となる。
【００１０】
しかしながら、地上デジタル放送であっても、受信環境によっては電波の受信電力が微弱である場合、ノイズの重畳が著しい場合などあり、特に、受信信号の強度が時間とともに変化するようなフェージングの影響が大きい環境下では、良好な映像を再生することができないこともある。
【００１１】
このような受信環境の劣化に対処するために、受信装置内で受信状態を検出し、これに応じて放送内容を自動的に切り替える方式などが採用されている。（例えば、特許文献１〜３までに記載のデジタル放送受信装置。）
【００１２】
【特許文献１】特開平９−１０７３０３号公報
【特許文献２】特開２００２−１７６５９４号公報
【特許文献３】特開２００２−２１８３４１号公報
【発明の開示】
【発明が解決しようとする課題】
【００１３】
デジタル放送の受信の際に特に問題となるのは、デジタル放送受信装置ではアナログ放送のような「ほどほどに映る」、「見にくいがある程度は映る」というような中間的な受信状況が存在せず、実質的には、受信可能状態と受信不可能状態のいずれか一方の状態のみかしか存在しない、すなわち、受信の可否に関する明確な閾値が存在する点である。アナログ放送の場合には、視聴者が受信状況の中間状態を確認しやすいため、映像が乱れた場合には、画面を見ながらアンテナの方向を調整したり受信装置の位置を変えたりすることにより、受信に適した環境をその場で検索することも可能である。
【００１４】
しかしながら、デジタル放送においては、視聴者が放送を受信できない場合に、上述のようなデジタル的な受信及び表示特性により、現在の受信環境がどの程度放送受信に適した環境であるのか、或いは、どの程度放送受信に不適な状態にあるのかなどを判断することが難しく、従って、例えば、どの方向に場所を移動すれば受信可能になるかなどに関する判断が難しいという問題があった。
【００１５】
本発明の目的は、少なくともデジタル放送を受信できない場合において、現在の受信状況に関するより詳細な情報を得ることができるデジタル放送受信装置を提供することである。
【００１６】
なお、本発明は対象を地上デジタル放送に限ったものではなく、一般のデジタル放送全てを対象とするものである。特に移動体・携帯端末向け放送に大きな効果が期待され、例えば、２００４年日本でサービス開始予定の２．６ＧＨｚ衛星デジタル音声放送（モバイル放送）が対象として挙げられる。
【課題を解決するための手段】
【００１７】
本発明は、デジタル放送の受信感度パラメータを検出する受信感度パラメータ検出手段と、前記受信感度パラメータ検出手段により検出された前記受信感度パラメータに基づく受信状況を表示する受信状況表示手段と、を有し、前記受信状況表示手段は、デジタル放送を受信できない場合に、メッセージを表示することを特徴とするデジタル放送受信装置である。前記受信状況表示手段は、時間軸を用いて前記受信状況のパラメータを変化するように表示することが好ましい。さらに、位置情報を取得する位置情報取得手段を有し、前記受信状況表示手段は、位置情報と対応付けて前記受信状況のパラメータを表示することが好ましい。前記受信状況表示手段は、受信映像表示と前記受信状況のパラメータ表示とを切り替えて表示することが好ましい。前記受信状況表示手段は、デジタル放送が受信できない要因を表示することが好ましい。
【００１８】
また、本発明は、デジタル放送の受信感度パラメータを検出する手段と、前記受信感度パラメータに基づく受信状況を表示する手段とを有するデジタル放送受信装置であって、少なくともデジタル放送を受信できない場合において、前記受信状況を表示することを特徴とするデジタル放送受信装置を提供するものである。
【００１９】
これによって、視聴者は現在の受信環境下における受信状況を把握することが可能となり、環境調整による受信の可否の判断、受信に好適な環境の検索が可能となる。本発明において、前記受信感度パラメータは、受信電力及びＣ／Ｎ比のうち少なくとも１つを含むのが好ましい。
【００２０】
また、前記受信感度情報は、受信電力と、Ｃ／Ｎ比と、該受信電力及びＣ／Ｎ比から算出される総合感度とを含んでいてもよい。この場合、前記総合感度には、前記受信電力及びＣ／Ｎ比のうち感度が低い方の値のみをパラメータとして用いて算出したものを用いることができる。
【００２１】
さらに、前記デジタル放送受信装置は、ＢＥＲを検出する手段を有しており、前記ＢＥＲを判断基準として、前記受信感度パラメータに基づいた受信状況を表示することもできる。
【００２２】
デジタル放送において受信状況を判断するためのパラメータとしては、受信電力とＣ／Ｎ比（Ｃａｒｒｉｅｒ ｔｏ Ｎｏｉｓｅ Ｒａｔｅ）が一般に知られている。これらの値は変調方式や符号化率によって受信に要する下限値が異なっている。
【００２３】
また、デジタル放送において映像信号を誤りなし（擬似エラーフリー）で伝送するためには、ＲＳ（リードソロモン）符号復号出力のＢＥＲ（Ｂｉｔ Ｅｒｒｏｒ Ｒａｔｅ、誤り率）の値が１ｘ１０-11以下である必要がある。このためには、ビタビ復号出力のＢＥＲの値が２ｘ１０-4であることが必要となる。
【００２４】
例えば、ガウス雑音環境下において、ＱＰＳＫ符号化率１／２の場合の所要Ｃ／Ｎ比は４．９ｄＢであり、１６ＱＡＭ符号化率１／２の場合の所要Ｃ／Ｎ比は１１．５ｄＢである。また、受信電力の所要電界強度に関しては、固定受信の場合で約６０ｄＢμＶ／ｍが要求される。
【００２５】
本発明によれば、それぞれのパラメータの値をモニタすることにより、受信できない要因を推察することが可能となる。例えば、車で移動中、受信電力は十分であるがＣ／Ｎ比が低い場合は、速度を落とせば受信できる可能性が高く、街中で受信電力が低い場合は、電波遮蔽物のない場所、または遮蔽物があった場合でも反射波や定在波が受信できる場所へ移動するなどの方針を得ることができる。
【００２６】
また、本発明において、前記デジタル放送受信装置は、位置情報を検出もしくは外部から入力する手段をさらに有しており、前記位置情報および前記受信感度パラメータに基づいた受信状況を表示することを特徴とする。
【００２７】
これにより、まず受信を試みる受信装置が放送サービスエリア内に位置するか否かを判断することが可能となる。サービスエリア外であれば、直接受信不可能である旨の表示を行い、サービスエリア内であれば受信感度パラメータに基づいた受信状況を表示できる。
【００２８】
この時、前記デジタル放送受信装置が、位置に対応した受信可能な放送局一覧データを保有していれば、上記受信状況表示を簡易に行うことができる。なお、位置に対応した放送局一覧データは、必ずしも受信装置が固定データとして内部に保有している必要はなく、通信回線を利用して配信先から最新情報を取得することも可能である。
【００２９】
また、本発明のデジタル放送受信装置においては、前記受信感度パラメータが放送受信に必要な値を下回ると、受信状況を自動的に表示するようにすることができる。このとき、前記受信状況として、「サービスエリア外です」、「電波が届いていません」、「ノイズの影響で受信できません」等コメントが表示されるようにしてもよい。
【００３０】
また、本発明のデジタル放送受信装置は、表示画面とは独立に前記受信状況を表示する表示部を備えていることができる。これにより、映像および受信状況を同時に表示でき、映像を見ながら受信状況を確認することが可能となるだけでなく、メイン画面を表示することなく、簡易に受信状況のみを確認することも可能となる。
【００３１】
尚、本発明のデジタル放送受信装置は、例えば、携帯電話端末、車載用端末、据え置き型デジタル放送受像機、携帯情報通信端末（ＰＤＡ等）などに内蔵して用いるのが好ましい。
【００３２】
また、地上デジタル放送や衛星を利用したモバイル放送も受信可能なデジタル放送受信装置であっても良い。
【発明の効果】
【００３３】
本発明のデジタル放送受信装置によれば、視聴者は、現在の受信環境下における受信感度情報を把握することが可能となり、受信環境が悪い場合に、受信可能となる基準値からどの程度外れた状況にあるのか、さらには何が要因で受信ができないのかを知ることができる。
【発明を実施するための最良の形態】
【００３４】
本発明に係るデジタル放送受信装置は、とりわけ、デジタル放送を移動端末で受信する視聴者であって、放送を受信可能な場所を探して移動する視聴者に対して、どの方向に移動すれば良いかの判断指針となる情報を提供することができる装置である。固定式のデジタル放送受信装置、特にアンテナを装備する据え置きテレビ装置についても、屋内のある場所に設置して受信が出来なかった場合に、その屋内において受信可能な場所が存在する否か、存在する場合には、その場所に関する情報を提示することができる装置である。
【００３５】
以下、図面を参照しつつ、本発明の実施の形態によるデジタル放送受信装置について説明する。尚、以下においては、デジタル放送受信装置の例として地上デジタル放送の受信装置について説明を行うが、他のデジタル放送受信装置、例えば、衛星デジタル放送等の受信装置に対してもこれらの技術が適用可能である。
【００３６】
まず、本発明の第１の実施の形態によるデジタル放送受信装置について携帯電話端末に内蔵されている地上デジタル放送受信装置を例にして説明する。図１は、本実施の形態による地上デジタル放送受信装置の構成例を示す機能ブロック図である。図１に示すように、本実施の形態による地上デジタル放送受信装置を備えた携帯端末１００は、第１のアンテナ１０１と、チューナ１０２と、ＯＦＤＭ復調器１０３と、デコーダ部１０４と、主記憶部１０６と、メモリ１０７と、制御部１０９と、第２のアンテナ１１０と、ｗ−ＣＤＭＡ処理部１１２と、音声信号処理部１１５と、映像信号処理部１１８と、を有している。さらに、地上デジタル放送受信装置１００は、二次記憶媒体１０５と、タイマー１０８と、マイク１１６と、スピーカ１１７と、ディスプレイ１１９とを備えている。ｗ−ＣＤＭＡ処理部１１２は、ベースバンド処理部１１３と、電話音声処理部（ＡＤ／ＤＡ）１１４と、を有している。
【００３７】
上記の地上デジタル放送受信装置を備えた携帯端末１００の動作について説明する。第１のアンテナ１０１により受信された地上デジタル放送信号は、チューナ１０２、ＯＦＤＭ復調器１０３、デコーダ部１０４を経由して音声信号と映像信号とに復元され、音声信号は音声信号処理部１１５を経由してスピーカ１１７により再生され、映像信号は映像信号処理部１１８へ入力され、ディスプレイ１１９に表示される。
【００３８】
また、第２のアンテナ１１０から受信された携帯電話通信信号は、ＲＦ処理部１１１と、ベースバンド処理部１１３と電話音声処理部１１４とを有するｗ−ＣＤＭＡ処理部１１２とを通してスピーカ１１７により出力される。マイク１１６により入力された音声は、逆にｗ−ＣＤＭＡ処理部１１２、ＲＦ処理部１１１を通して第２のアンテナ１１０から送信される。
【００３９】
上記携帯電話端末１００において、携帯電話通信信号を通じてインターネット接続する場合には、携帯電話通信信号に含まれる通信情報は、ベースバンド処理部１１３からデコーダ部１０４及び映像信号処理部１１８を経由しディスプレイ１１９に表示される。制御部１０９は、この携帯電話端末１００の各構成要素を制御する。上記以外の構成要素に関しては、一般的な地上デジタル放送受信装置と同様である。
【００４０】
図２は、図１に示す携帯電話端末１００のＯＦＤＭ復調器１０３の内部構成例を示す機能ブロック図である。図２に示すように、ＯＦＤＭ復調器１０３は、直交復調部２０１と、位相補正部２０２と、ＦＦＴ部２０３と、フレーム同期部２０４と、検波部２０５と、周波数・時間デインターリーブ部２０６と、ビットデインターリーブ部２０７と、ビタビ復号部２０８と、バイトデインターリーブ部２０９と、エネルギー拡散部２１０と、ＴＳ再生部２１１と、ＲＳ復号部２１２と、を有している。
【００４１】
直交復調部２０１には、図１に示す携帯電話端末１００のチューナ１０２でＩＦ（中間周波数）信号に変換された放送信号がデジタル化されて入力される。直交復調部２０１に入力された放送信号は、位相補正部２０２、ＦＦＴ部２０３、フレーム同期部２０４を経て、検波部２０５に入力する。検波部２０５では、放送信号のＣ／Ｎ（Ｃａｒｒｉｅｒ ｔｏ Ｎｏｉｓｅ）比に関するパラメータが検出され、検出されたＣ／Ｎ信号がＣ／Ｎ出力部２１３を介して出力される。
【００４２】
一方、検波部２０５から出力されるＴＳ（Ｔｒａｎｓｐｏｒｔ Ｓｔｒｅａｍ）信号は、周波数・時間デインターリーブ部２０６、ビットデインターリーブ部２０７、ビタビ復号部２０８、バイトデインターリーブ部２０９、エネルギー拡散部２１０、ＴＳ再生部２１１、ＲＳ（Ｒｅｅｄ−Ｓｏｌｏｍｏｎ）復号部２１２を経て、ＢＥＲ（Ｂｉｔ Ｅｒｒｏｒ Ｒａｔｅ、誤り率）に関するパラメータはＢＥＲ出力部２１４を介して図１に示す携帯電話端末の制御部１０９に出力され、ＴＳ信号はＴＳ出力部２１５を介してデコーダ部１０４（図１）に出力される。
【００４３】
尚、ＲＳ復号をオフにしてＢＥＲを出力し、ＢＥＲの値がある基準値を満たす場合にＲＳ復号をオンにしてＴＳを出力するように設定することも可能である。
【００４４】
また、後述するように受信映像と受信感度とを同時に表示させる場合には、Ｃ／Ｎ比とＲＳ（Ｒｅｅｄ−Ｓｏｌｏｍｏｎ）復号後のＢＥＲを検出し、ＴＳも常にデコーダ部１０４に送出しておくことも可能である。受信電力に関しては、直交復調部２０１よりも前段側に配置されたチューナからの出力ＩＦを制御するＡＧＣ（Ａｕｔｏ ＧａｉｎＣｏｎｔｒｏｌ）の値から判断できる。
【００４５】
尚、図２に示すＯＦＤＭ復調器１０３内の各構成要素は、一般的なＯＦＤＭ復調器に含まれる構成要素と同様であり、それぞれの構成要素に関する説明は省略する。
【００４６】
次に、上記のように構成された本実施の形態によるデジタル放送受信装置において、受信したデジタル放送及び受信感度情報を表示するための技術について説明する。図３は、本実施の形態によるデジタル放送受信装置を内蔵した携帯電話端末の表示画面の構成例を示す図である。図３（ａ）は、携帯電話端末のメニュー画面の表示例である。図３（ａ）に示す表示画面には、電池残量、通信感度等を表示する第１表示部３０１と、メニュー選択項目を表示する第２表示部３０２と、が表示されている。第２表示部３０２に表示されるメニュー選択項目は、ＴＶ、ウェブ、メール、住所録及びスケジュールの項目を含んでいる。
【００４７】
以下、表示部３０２において、ＴＶを選択した場合、すなわち、本実施の形態によるデジタル放送受信装置を利用して地上デジタル放送を受信することを選択した場合について、本携帯電話端末の表示例を説明する。上記したその他のメニュー選択項目については、一般的な携帯電話端末に含まれている機能と同様であるため、本明細書中においては説明を省略する。
【００４８】
図３（ａ）に示すメニュー画面においてＴＶを選択しＴＶ選局を行うと、図３（ｂ）に示す通信・放送表示画面が表示される。通信・放送表示画面は、第１表示部３０１と、図３（ａ）における第２表示部３０２に対応する放送表示部３０３及び通信表示部３０４を含んで構成される。放送表示部３０３には受信した地上デジタル放送のコンテンツ自体が表示されており、通信表示部３０４にはコンテンツに付随して送信されるコンテンツ関連情報及びデータ放送などが表示される。コンテンツ関連情報は、例えば、Ａ選手の個人データ、他球場の結果、Ｈａｗｋｓホームページなどの関連情報を選択して表示させることができる。
【００４９】
通信表示部３０４において「感度」を選択すると、図３（ｃ）に示す放送・受信感度表示画面が表示される。受信感度表示画面３０５は、放送の受信感度を棒グラフ状に表示している。本実施の形態による表示例では、例えば、受信感度１００が、放送を正常に受信可能な基準値とする。尚、受信電力とＣ／Ｎ比とのうちのいずれを受信感度として選択するかに関して、より低い値を有する方を選択し、低い方の値であっても必要な基準値（この値を１００とした）を満たす場合に放送が正常に受信させていると判断するように構成するのが好ましい。
【００５０】
本実施の形態による携帯電話端末において、放送の受信感度が所定の値より低いため放送が正常に受信できない場合には、例えば、図３（ｄ）〜図３（ｆ）までに示す受信不能時の表示画面のいずれかが表示される。受信不能時の放送表示部３０３には、放送コンテンツの代わりに位置情報や受信感度パラメータが表示される。図３（ｄ）では、受信不能時の第１の表示画面として「サービスエリア外です」とのメッセージと、受信感度に関する棒グラフとが表示されている。図３（ｅ）では、受信不能時の第２の表示画面として「ノイズのため受信できません」とのメッセージと、Ｃ／Ｎの棒グラフとが表示されている。Ｃ／Ｎは基準値１００に対してそれよりも低い値である約７０の値が表示されている。図３（ｆ）では、受信不能時の第３の表示画面として「電波が弱く受信できません」とのメッセージと、受信電力の棒グラフとが表示されている。受信電力は基準値１００に対してそれよりも低い値である約７０の値が表示されている。このように、「サービスエリア外です」等のメッセージが位置情報や受信感度パラメータを元に表示されるようになっている。
【００５１】
本実施の形態によるデジタル放送受信装置は、携帯電話端末に内蔵されるものであるため、視聴者が移動することにより放送の受信感度が逐次変化することになる。したがって、正常に放送を受信している図３（ｂ）又は図３（ｃ）の表示画面と、受信不能時の図３（ｄ）から図３（ｆ）までの表示画面とは、受信状況に応じて自動的に切り替わるようになっているのが好ましい。
【００５２】
本実施の形態によるデジタル放送受信装置では、放送表示部３０３と受信感度表示部３０５とを別領域に表示させるため、受信環境が悪い場合には、受信感度表示部３０５により受信感度の変化を見ながらアンテナの向きや受信位置を調整することが可能であるという利点もある。
【００５３】
図４は、上記の携帯電話端末において、視聴者がデジタル放送の受信を選択してから、映像表示が行われるまでの動作及び受信感度の変化による表示画面の切り替えの動作の流れを示すフローチャート図である。尚、以下において、携帯電話端末側の動作は、図１に示す制御部１０９により制御されているものとして説明する。
【００５４】
まず、視聴者は、図３（ａ）に示すメニュー画面においてＴＶを受信するための選択ボタンであるＴＶを選択し（ステップ４０１）、次いで、受信チャンネル、表示形態等を選択する（ステップ４０２）。携帯電話端末にＧＰＳ等による位置情報検出機能が設けられている場合又は受信位置を前もって端末に登録している場合には、選択したチャンネルに関する放送の有無、すなわち、受信位置がサービスエリア内にあるか否かを判定する（ステップ４０３）。ステップ４０３において、受信位置がサービスエリア外であればその旨を表示する（ステップ４０４）。サービスエリア内であれば、携帯電話端末はチューナ１０２（図１）及びＯＦＤＭ復調器１０３（図１）から得られる受信感度情報（後に説明する）を検出する（ステップ４０５）。携帯電話端末は、さらに、この受信感度情報に基づいて、現在の受信感度が上記で選択したチャンネルの放送を受信するのに必要な所定の基準値を満たしているか否かを判定し（ステップ４０６）、基準を満たしていれば映像を表示する（ステップ４０７）。
【００５５】
現在の受信感度、例えば受信電力とＣ／Ｎ比とが、ともに所定の基準値を満たさない場合、又は、いずれか一方の値が基準値に達していない場合（ステップ４０８、ステップ４１０）には、図３の（ｄ）〜図３（ｆ）に示すように、受信不能時の表示画面例に従って、受信不能である旨のメッセージを表示する（ステップ４０９、４１１及び４１２）とともに、受信感度情報を表示する。視聴者は、受信感度情報を見ながら、放送受信に適したアンテナの方向や受信位置などを検索し、より適した位置を求めることができる。
【００５６】
次に、本実施の形態によるデジタル放送受信装置において、受信感度を測定する方法について説明する。受信感度パラメータとして、受信電力と受信信号のＣ／Ｎ比とを用いた例について説明する。図１において、チューナ１０２は受信電力を検出し、ＯＦＤＭ復調器１０３（図２に示すＣ／Ｎ比出力部２１３において）受信信号のＣ／Ｎ比を検出し、それぞれを制御部１０９に出力するように構成されている。また、ＯＦＤＭ復調器１０３は、受信信号のＢＥＲを図２のＢＥＲ出力部２１４から図１の制御部１０９に出力するように構成されている。
【００５７】
図１に示す制御部１０９は、入力されたＣ／Ｎ比、ＢＥＲなどの情報を所定の基準と照らし合わせて受信感度情報を算出し、映像信号処理部１１８を通してディスプレイ１１９に出力する。ここで、受信感度情報を算出するための基準については、様々な実施態様が考えられる。例えば、受信電力及びＣ／Ｎ比の各パラメータについては、放送に用いられている各変調方式に対応した受信基準値を１００％に設定し、一般的な変動幅に応じて値も妥当な範囲で変化するように換算値を求め、これをパラメータとして表示させることもできる。このようにすれば、各パラメータが実質的に２値しか表示できないために、受信状況の改善のための具体的な指針を得ることができない状況を回避することができる。
【００５８】
尚、受信電力及びＣ／Ｎ比の各パラメータを総合評価して受信感度情報を算出する場合には、例えば、ビタビ復号後のＢＥＲ値を検出し、この値が擬似エラーフリーとなる閾値ＢＥＲ＝２×１０-4であるときの受信状態を受信感度１００％の基準とすることができる。このように、ＢＥＲ値を利用しない場合には、Ｃ／Ｎ比と受信電力とに、予め導出してある計算式（例えば、Ｃ／Ｎ比と受信電力との重み付けを行うような計算式）を適用して、受信感度を算出することもできる。あるいは、より簡易な方法としては、Ｃ／Ｎ比と受信電力とのうち条件の悪い方を選択し、その値を受信感度情報としてもよい。
【００５９】
次に、上記実施の形態によるデジタル放送受信装置における表示形態の変形例について図面を参照して説明する。図５（ａ）〜図５（ｄ）までは、図３に示す形態とは別の受信感度情報の表示形態を示す図である。尚、図５にそれぞれ示す表示例は、携帯電話端末の表示画面のほぼ全面に表示され、例えば、図３（ｂ）の通信・放送表示画面及び図３（ｃ）の放送・受信感度表示画面を表示させていた場合において、ユーザが操作することにより、或いは、受信感度等に基づいて自動的に、表示画面が図５に示す各表示例に切り替えられるようにすることができる。
【００６０】
図５（ａ）に示す表示例１では、Ｃ／Ｎ比（Ｃ／Ｎ）、受信電力（Ｐｏｗｅｒ）及びこれらを総合評価した受信感度（Ｔｏｔａｌ）のそれぞれを棒グラフ状に表示している。また、図５（ｂ）に示す表示例２では、上記総合評価した受信感度のみを棒グラフ状に表示している。これらの表示形態によれば、視聴者は現在の受信状態を示すパラメータをある程度連続的に変化する表示に基づいて把握することが可能となり、これらの表示に基づいて、携帯電話端末のアンテナの位置や受信位置などを変更してみることにより、より好ましい受信環境を探索することができる。
【００６１】
図５（ｃ）に示す表示例３では、受信電力及びＣ／Ｎ比を二次元的にマッピングして表示している。縦軸に受信電力（ｐｏｗｅｒ）を、横軸にＣ／Ｎ（比）をとっている。図５（ｃ）中、ポイント５０２は現在の受信状況を示している。斜線を施した領域は受信可能領域を示している。図５（ｃ）に示す表示に基づいて、視聴者は受信電力とＣ／Ｎ比とに関してより良い受信環境を２次元的な情報に基づいて探索することができる。
【００６２】
図５（ｄ）に示す表示例４では、現在までの受信感度を時間（ｔｉｍｅ）軸に沿って表示している。これによれば、同じ受信位置でも受信感度に時間依存性がある場合、あるいは気象条件や様々な環境条件により受信感度が変化する場合などに、受信感度の変化のパターンを知ることが可能となり、より良い受信環境を得る際の指針を得ることができる。
【００６３】
以上、本実施形態のデジタル放送受信装置における受信感度情報の表示例を示したが、受信感度情報の表示方法は、これらの他にも、表示端末の種類、使用形態、視聴者の好み等で様々なパターンが考えられる。
【００６４】
図６（Ａ）及び図６（Ｂ）に、他の表示例を示す。図６（Ａ）及び図６（Ｂ）に示す表示例は、同時に表示画面に表示されても良いし、切り替えスイッチなどにより切り替え表示されるように構成されていても良い。図６（Ａ）は、表示画面上に地図１００１を表示させた状態を示している。この地図１００１上に、携帯電話端末が移動してきた軌跡１００３が表示されており、例えば所定の時間毎にＰ１〜Ｐ５までの位置に携帯電話端末が存在していたことが表示されている。図１０（Ｂ）は、Ｐ１からＰ５までのそれぞれの位置における受信電力とＣ／Ｎ比とが数値として表示されている。尚、位置情報と受信電力及びＣ／Ｎ比とは、メモリに格納しておくことができる。一定時間毎に位置情報と受信情報とを対応付けて取得しメモリに記憶させておく。図６（Ａ）及び図６（Ｂ）のような表示を参照することにより、視聴者は、現在位置Ｐ５に対していずれの方向に移動すれば受信状態が良くなるかを推定するための情報を得ることができる。
【００６５】
以上に説明したように、本実施の形態によるデジタル放送受信装置によれば、受信環境が悪化した場合に、視聴者は、画面に表示される受信感度情報に基づいて、放送受信に適した状態を検索することが可能である。また、受信していた放送が突然表示されなくなった場合に、その原因が受信状況に起因するものであることを視聴者に知らせることができ、視聴者にある程度の安心感を与えることもできる。
【００６６】
次に、本発明の第２の実施の形態によるデジタル放送受信装置について図面を参照しつつ説明する。本実施の形態においては、主として屋内で使用される据え置き型の地上デジタル放送受信装置を対象とする。尚、本実施の形態によるデジタル放送受信装置は、表示画面の形態において特徴を有するものであるが、その他の構成及び動作に関しては、第１の実施の形態によるデジタル放送受信装置とほぼ同様である。
【００６７】
図７は、本実施の形態によるデジタル放送受信装置の表示画面の構成例を示す図である。本実施の形態によるデジタル放送受信装置は、映像表示部６０１と、アンテナ６０２と、スピーカ６０３と、を有しており、主要な内部構成に関しては、図１及び図２に示す構成とほぼ同様である。図７において、図７（ａ）に示す放送受信可能時には受信した映像が画面に表示されるが、図７（ｂ）に示す放送受信不能時には、受信感度情報が画面に表示される。図７（ｂ）に示す受信感度情報は、図５（ａ）の表示例１にならった表示例を示すものであるが、他の図５（ｂ）における表示例２〜図５（ｄ）における表示例４に沿った表示形態としてもよく、あるいはそれ以外の表示形態をとすることも可能である。また、図７（ａ）に示す画面と図７（ｂ）に示す画面との切り替えは、受信感度により自動的に切り替わるようにしてもよく、あるいは視聴者の操作により切り替わるようにしてもよい。
【００６８】
本実施の形態によるデジタル放送受信装置を用いると、屋内においていずれの場所に受信装置を配置するかを決める場合に、受信感度情報に基づいて受信に適した設置位置を探索することが可能である。例えば、受信電力は十分であるがＣ／Ｎ比が低いことがわかった場合には、ノイズを発生させる原因となりそうな家電から離れた場所や周りに妨害物のない見通しのいい場所に設置位置を移動するようにし、受信電力が低いことがわかった場合には、窓際や、反射波、定在波が受信できる場所に設置位置を移動させるようにすることができる。また、受信していた放送が突然表示されなくなった場合に、その原因が受信状況に起因するものであることを視聴者に知らせることができ、視聴者にある程度の安心感を与えることもできる。
【００６９】
次に、本発明の第３の実施の形態によるデジタル放送受信装置について図面を参照して説明する。本実施の形態によるデジタル放送受信装置は、携帯情報通信端末（ＰＤＡなど）に内蔵される地上デジタル放送受信装置である。尚、本実施形態のデジタル放送受信装置は、表示画面の形態において特徴を有するものであるが、その他の構成及び動作は、第１実施の形態によるデジタル放送受信装置とほぼ同様である。
【００７０】
図８は、本実施の形態によるデジタル放送受信装置の表示画面の構成例を示す図である。本実施の形態によるデジタル放送受信装置は、放送表示部７０１と、通信表示部７０２と、受信感度表示バー７０３と、操作部７０４と、を有しており、内部構成は、図１及び図２に示す装置と同様である。
【００７１】
尚、本実施の形態においても、上記の第１の実施形態と同様、受信環境が悪化した場合に、視聴者は、画面に表示される受信感度情報に基づいて、放送受信に適した状態を検索することが可能である。
【００７２】
【表１】
2008104209.tif 000003
【００７３】
さらに、例えば、操作部７０４を操作することにより、表１に示す放送局一覧データを表示させることができるように構成されていても良い。表１に示すように、放送局一覧データは、放送局毎にサービスエリアを範囲情報として表示させることができる。これを、現在位置情報と比較することにより、どの放送局の放送を現在受信可能か、どの位置ではどの放送局の放送を受信可能であるかなどの情報を得ることができる。他の実施の形態においても、同様の表示をさせることが可能である。尚、表１では、放送局のサービスエリアの範囲情報が記載の便宜上矩形になっているが、一般的には円形により画定された範囲内になることが多い。
【００７４】
以上、説明したように、本発明の各実施の形態によるデジタル放送受信装置によれば、視聴者は、現在の受信環境下における受信感度情報を把握することが可能となり、受信環境が悪い場合に、受信可能となる基準値からどの程度外れた状況にあるのか、さらには何が要因で受信ができないのかを知ることが可能となる。
【００７５】
以上、本発明のデジタル放送受信装置の各実施の形態について説明したが、本発明はこれらに限定されるものではなく、本発明の要旨を逸脱しない範囲内において、様々な変更を加えることが可能である。
【図面の簡単な説明】
【００７６】
【図１】本発明の第１の実施の形態によるデジタル放送受信装置を内蔵した携帯電話端末の構成を示す機能ブロック図である。
【図２】図１に示す携帯電話端末のＯＦＤＭ復調器の内部構成を示す機能ブロック図である。
【図３】図１に示す携帯電話端末の表示画面の構成例を示す図である。
【図４】図１に示す携帯電話端末において、視聴者がデジタル放送の受信を選択してから、映像表示が行われるまでの動作、及び受信感度の変化による表示画面の切り替えの動作の流れを示すフローチャート図である。
【図５】図１に示す携帯電話端末の表示画面において、受信感度情報の他の表示形態（変形例）を示す図である。
【図６】本発明の実施の形態によるデジタル放送受信装置における受信状況表示画面の例であり、図６（Ａ）は視聴者が移動してきた軌跡を地図上に表示させた表示画面の例を示す図であり、図６（Ｂ）は、複数の地点における受信情報の表示例である。
【図７】本発明の第２の実施の形態によるデジタル放送受信装置を内蔵した据え置き型受信装置の表示画面の構成例を示す図である。
【図８】本発明の第３の実施の形態によるデジタル放送受信装置を内蔵した携帯情報通信端末の表示画面の構成例を示す図である。
【図９】地上デジタル放送サービスの一形態を示す構成図である。
【図１０】地上デジタル放送サービスの他の形態を示す構成図である。
【符号の説明】
【００７７】
１０１…アンテナ、１０２…チューナ、１０３…ＯＦＤＭ復調器、１０４…デコーダ部、１０５…二次記憶媒体、１０６…主記憶部、１０７…メモリ、１０８…タイマー、１０９…制御部、１１０…アンテナ、１１１…ＲＦ処理部、１１２…ｗ−ＣＤＭＡ処理部、１１３…ベースバンド処理部、１１４…電話音声処理部、１１５…音声信号処理部、１１６…マイク、１１７…スピーカ、１１８…映像信号処理部、１１９…ディスプレイ、２０１…直交復調部、２０２…位相補正部、２０３…ＦＦＴ部、２０４…フレーム同期部、２０５…検波部、２０６…周波数・時間デインターリーブ部、２０７…ビットデインターリーブ部、２０８…ビタビ復号部、２０９…バイトデインターリーブ部、２１０…エネルギー拡散部、２１１…再生部、２１２…復号部、２１３…Ｃ／Ｎ比出力部、２１４…ＢＥＲ出力部、２１５…ＴＳ出力部、３０１…電池残量・通信感度等表示部、３０２…メニュー選択項目表示部、３０３…放送表示部、３０４…通信表示部、３０５…受信感度表示部、５０１…表示画面、５０２…視聴者現在地ポイント、６０１…映像表示部、６０２…アンテナ、６０３…スピーカ、７０１…放送表示部、７０２…通信表示部、７０３…受信感度表示バー、７０４…操作部。
【図１】
2008104209.tif 000004
【図２】
2008104209.tif 000005
【図３】
2008104209.tif 000006
【図４】
2008104209.tif 000007
【図５】
2008104209.tif 000008
【図６】
2008104209.tif 000009
【図７】
2008104209.tif 000010
【図８】
2008104209.tif 000011
【図９】
2008104209.tif 000012
【図１０】
2008104209.tif 000013